(57)【要約】【課題】ゴルフ場において、旗竿を抜かずにパターを行った際、カップインしたボールを手で拾いあげるときに、旗竿が邪魔で、カップ周りのエッジ（芝）に指やボールがこすれてエッジ（芝）を痛めてしまい、その後のプレーに大きな影響を及ぼしてしまう昨今の大変重大な課題。【解決手段】ゴルフボールがカップインした後、旗竿を刺したままの状態で、旗竿を手で握って押し下げることで、駆動部が作用してカップの底板が地上まで押し上げられ、カップの中に入っていたゴルフボールを簡単に地上に排出でき、その後手を離すと、元の位置に戻るゴルフボール放出装置付きゴルフカップを提供する。【選択図】図１
2020195413.tif 000002
【特許請求の範囲】
【請求項１】
ゴルフカップ２と旗竿1の下端部Ａを差し込む可動部Ｂと、その可動部Ｂを誘導する誘導部Ｃと、可動部Ｂの下方向作用力を伝達する伝達部Ｄと、その下方向作用力を上方向作用力に変える駆動部Ｅと、駆動部Ｅから力を受けて上昇する上昇部Ｆと、上昇部Ｆに接続して上昇する底板部Ｇを備え、旗竿1をゴルフカップ２に刺したままの状態で、旗竿1を手で押し下げることで底板部Ｇが上昇し、カップインしたゴルフボール51を地上付近まで押し上げることができ、手を離すと弾性体Ｈにより元の位置に戻ることができる機能を有することを特徴とした、ゴルフボール放出装置付きゴルフカップ。
【請求項２】
前記、駆動部Ｅは伝達部Ｄに接続された内ラックと、内ラックと連動する内ピニオンと、内ピニオンの駆動により歯車を経て駆動する外ピニオンと、外ピニオンと連動する上昇部Ｆである外ラックを備えていることを特徴とする請求項1記載のゴルフボール放出装置付きゴルフカップ。
【請求項３】
前記、駆動部Ｅは伝達部Ｄに接続された内ピストンと、内ピストンが作用する内油圧筒と、内油圧筒から繋ぎパイプを経て外油圧筒を有し、外油圧筒に作用する上昇部Ｆである外ピストンを備えていることを特徴とする請求項1記載のゴルフボール放出装置付きゴルフカップ。
【請求項４】
前記、駆動部Ｅは伝達部Ｄの作用で駆動するテコと、テコの駆動により上昇する上昇部Ｆであるマジックハンドを備えていることを特徴とする請求項1記載のゴルフボール放出装置付きゴルフカップ。
【請求項５】
前記、弾性体Ｈはプリング、板バネ、またはゴム製品で構成されたことを特徴とする請求項1から請求項4のいずれか一項に記載のゴルフボール放出装置付きゴルフカップ。
【請求項６】
前記、底板部Ｇは平面的にドーナツ状で断面は傘状に傾斜しており、水抜き孔を数ヶ所備えていることを特徴とした、請求項1から請求項5のいずれか一項に記載のゴルフボール放出装置付きゴルフカップ。
【発明の詳細な説明】
【技術分野】
【０００１】
ゴルフカップの中に入ったゴルフボールを、旗竿を押し下げることで地上に排出し、その後手を離すと元の位置に戻るゴルフボール放出装置付きゴルフカップに関する。
【背景技術】
【０００２】
２０１９年よりゴルフのルールが改正され、旗竿を抜かずにパターが行えるようになったが、その際に旗竿を抜かずにカップインしたボールを手で拾いあげることになるのだが、旗竿が邪魔になり非常に取り出しにくい。
【発明の概要】
【発明が解決しようとする課題】
【０００３】
２０１９年よりゴルフのルールが改正され、旗竿を抜かずにパターが行えるようになったが、その際に旗竿を抜かずにカップインしたボールを手で拾いあげることになるのだが、旗竿が邪魔になり非常に取り出しにくい状況で、無理に拾い上げると、カップ周りのエッジ（芝）に指やボールがこすれてしまいエッジ（芝）を痛めて、プレーに大きな影響を及ぼすことになり、昨今の大変重大な課題になっている。本願発明は、旗竿を抜かずにカップインしたボールを容易に地上に排出できることを目的とする。
【課題を解決するための手段】
【０００４】
従来通り旗竿を抜いてゴルフカップとして使用することも可能であるが、旗竿を刺したままの状態で、旗竿を手で握って押し下げると、その力で駆動部が作用してカップの底板部が地上まで押し上げられ、カップの中に入っていたゴルフボールを地上に排出し、その後手を離すと元の位置に戻ることができる機能を有するゴルフボール放出装置付きゴルフカップを使用することで解決することができる。
【発明の効果】
【０００５】
従来通り旗竿を抜いてゴルフカップとして使用することも可能であるが、旗竿を刺したままの状態で、旗竿を手で握って押し下げるだけで簡単に、カップの中に入っていたゴルフボールを地上に排出して、その後手を離すと元の位置に戻るゴルフボール放出装置付きゴルフカップを使用するので、カップ周りのエッジ（芝）を痛めることが無く、また、高齢の方など深く屈んでボールを拾いあげる動作が不要になり足腰にも負担がなく健康にも良い。                                                                      
【図面の簡単な説明】
【０００６】
【図１】本発明のゴルフボール放出装置付きゴルフカップを使用した構成図            （ａ）ゴルフボールがカップインした状態            （ｂ）ゴルフボールを排出した状態
【図２】本発明のゴルフボール放出装置付きゴルフカップを上から見た平面図
【図３】本発明の歯車式のゴルフボール放出装置付きゴルフカップの構成図
【図４】本発明の歯車式の駆動部の各部構成            （ａ）底板部の姿図            （ｂ）カバーボックスの姿図            （ｃ）ラック、ピニオン、歯車の構成姿図
【図５】本発明の油圧式駆動部の各部構成              （ａ）底板部の姿図            （ｂ）可動部と伝達部の姿図            （ｃ）ピストン、繋ぎパイプ、油圧筒の構成姿図
【図６】本発明のマジックハンド式のゴルフボール放出装置付きゴルフカップの構成            （ａ）ゴルフボールがカップインした状態            （ｂ）ゴルフボールを排出した状態
【発明を実施するための形態】
【０００７】
本願発明は、ゴルフカップ２に旗竿1の下端部Ａを差し込む可動部Ｂと、その可動部Ｂを垂直に上下誘導する誘導部Ｃと、可動部Ｂの下方向作用力を伝達する伝達部Ｄと、その下方向作用力を上方向作用力に変える駆動部Ｅと、駆動部Ｅから力を受けて上昇する上昇部Ｆと、上昇部Ｆに緊結して上昇する底板部Ｇと、可動部Ｂを元の位置に戻す力を持つ弾性体Ｈを備え、旗竿1をゴルフカップ２に刺したままの状態で、旗竿1を押し下げることで底板部Ｇが上昇し、カップインしたゴルフボール51を地上付近まで押し上げることができ、手を離すと弾性体Ｈにより元の位置に戻ることができる機能を有することを特徴とした、ゴルフボール放出装置付きゴルフカップである。
【０００８】
図１の（ａ）（ｂ）で、本発明のゴルフカップの構成を説明する。従来通り旗竿１を抜いて使用することも可能であるが、旗竿1を刺したままの状態で、カップインしたゴルフボール51を容易に地上に排出できる機能を備えている。先ず、旗竿1の下端部Ａを可動部Ｂに差し込み、差し込んだままの状態で、旗竿1を手で握って約5センチメートル下へ押し込む。連動して可動部Ｂは誘導部Ｃの中を垂直に約5センチメートル下げられる。可動部Ｂに緊結している伝達部Ｄも約5センチメートル下げられ、伝達部Ｄから受けた下方向作用力を駆動部Ｅにて上方向作用力に変えられる。駆動部Ｅから上方向力を受けて上昇部Ｆは約11センチメートル上昇する。一般に設置されているカップの底板部Ｇの深さは約10センチメートルなので、上昇部Ｆに緊結して上昇する底板部Ｇがカップインしたボールを地上（芝面）より少し上まで押し上げる。底板部Ｇの断面は傘状に傾斜が付いているので押し上げられたゴルフボール51は地上（芝面）に転がり落ちる。その後、押し込んでいた手をゆっくり離すと、可動部Ｂの下に配置された弾性体Ｈの復元力で可動部Ｂが押し上げられて、旗竿1、底板部Ｇは元の位置に戻る。
【０００９】
上記の説明で旗竿1を約5センチメートル下げる、としているが、駆動部Ｅや弾性体Ｈの力加減で5センチメートルに限らなくても良い。底板部Ｇが地上（芝面）より少し上まで上昇すれば良い。約5センチメートルとしているのは、大きな力を必要とせず容易で手頃な距離と考えられるからである。深過ぎるとカップ本体の大きさも長くなってしまい設置に負担がかかる。逆に浅過ぎると、駆動部Ｅの動作に無理が生じて故障しやすく、弾性体Ｈの復元力も大きくなり、旗竿1を押し込む力も大きくなってしまうので加減が必要である。
【００１０】
本発明のゴルフカップは、錆びにくい金属製であるが、樹脂製としても良い。また誘導部Ｃについては、筒状であるが、棒状を周りに配置したものでも良い。要は、可動部Ｂを垂直に上下誘導して弾性体Ｈの動きに支障をきたさず、可動部Ｂから伝達部Ｄを通じて駆動部Ｅに作用力を負担なく伝えられれば良い。  
【００１１】
（実施例1）歯車式
前記、駆動部Ｅは伝達部Ｄに接続された内ラックと、内ラックと連動する内ピニオンと、内ピニオンの駆動により歯車を経て駆動する外ピニオンと、外ピニオンと連動する上昇部Ｆである外ラックを備えていることを特徴とするゴルフボール放出装置付きゴルフカップである。歯車式実施例1として、伝達部Ｄに緊結された内ラック20が可動部Ｂと連動して約5センチメートル下方向に下げられる。内ラック20に接している内ピニオン21が比率1.0で回転する。連動して歯車22、23、24、小歯車25が回転する。小歯車25と一体になっている外ピニオン26が比率2.2で内ピニオン21と同じ方向に回転する。外ピニオン26に接している上昇部Ｆである外ラック27が約11センチメートル上昇する。外ラックガイド28は、外ラック27を垂直に可動させるためのものである。また、駆動部Ｅの各ピニオンや各歯車を固定するカバーボックス30は、駆動部Ｅが雨水や細かい土から歯車部を保護し悪影響を与えさせない役目も果たしている。次に外ラック27の上昇で底板部Ｇが地上まで約11センチメートル押し上げられ、ゴルフボールを地上（芝の上）に排出する。その後、旗竿1から手を離すと弾性体Ｈの復元力にて可動部Ｂが押し上げられて前記と逆の作用をして、底板部Ｇと旗竿1が元の位置に戻る。押し込む可動範囲を約5センチメートルに設定しているので、それ以上可動しないように誘導部Ｃに伝達部Ｄを誘導するガイドレール３の長さを定めている。
【００１２】
（実施例２）油圧式
前記、駆動部Ｅは伝達部Ｄに接続された内ピストンと、内ピストンが作用する内油圧筒と、内油圧筒から繋ぎパイプを経て外油圧筒があり、外油圧筒に作用する上昇部Ｆである外ピストンを備えていることを特徴とするゴルフボール放出装置付きゴルフカップである。駆動部Ａの油圧式実施例2として、伝達部Ｄに緊結された内ピストン40が可動部Ｂと連動して約5センチメートル下方向に下げられる。内油圧筒41の油が内ピストン40によって圧縮され、繋ぎパイプ42を通って、外油圧筒43に流れ込む。この時、内油圧筒41と外油圧筒43の油体積比率は1：2.2となっている。次に外油圧筒43に油が入り込み中の上昇部Ｆである外ピストン44が11センチメートル上昇する。外ピストン44の上昇で底板部Ｇが地上まで約11センチメートル押し上げられ、ゴルフボールを地上（芝の上）に排出する。その後、旗竿1から手を離すと弾性体Ｈの復元力にて可動部Ｂが押し上げられて前記と逆の作用をして、底板部Ｇと旗竿1が元の位置に戻る。押し込む可動範囲を約5センチメートルに設定しているので、それ以上可動しないように誘導部Ｃに伝達部Ｄを誘導するガイドレール３の長さを定めている。
【００１３】
（実施例３）マジックハンド式
前記、駆動部Ｅは伝達部Ｄの作用で駆動するテコと、テコの駆動により上昇する上昇部Ｆであるマジックハンドを備えていることを特徴とするゴルフボール放出装置付きゴルフカップである。駆動部Ａのマジックハンド式実施例3として、伝達部Ｄが可動部Ｂと連動して約5センチメートル下方向に下げられる。その力を受けて駆動部Ｅのテコ60が回転する。テコ60の回転に連動して縮んでいた上昇部Ｆであるマジックハンド61が伸びる。その力で底板部Ｇが地上まで約11センチメートル押し上げられ、ゴルフボールを地上（芝の上）に排出する。その後、旗竿1から手を離すと弾性体Ｈの復元力にて可動部Ｂが押し上げられて前記と逆の作用をして、底板部Ｇと旗竿1が元の位置に戻る。押し込む可動範囲を約5センチメートルに設定しているので、それ以上可動しないように誘導部Ｃに伝達部Ｄを誘導するガイドレール3の長さを定めている。
【００１４】
いずれの駆動部Ａも図2のように平面的に３箇所存在しており、底板部Ｄをバランス良く上昇させる。バランスが良ければ2箇所としても良い。
【００１５】
本発明の弾性体Ｈとして、スプリングとしているが、板バネやゴム製品を使用しても良い。
【００１６】
上昇する底板部Ｇは、平面的にドーナツ状で断面は傘状に傾斜しており、地上（芝面）より少し上まで上昇すれば、傾斜に沿ってゴルフボールは地上（芝の上）に転がり落ちる。従って片手での操作だけで、カップのエッジ周り（芝）を傷付ける事なく地上へ放出することが可能である。また、底板部Ｇの素材を金属製にすると、ゴルフボールがカップインしたときの音も従来通りに再現可能である。
【００１７】
雨水や細かい土が入っても、底板部Ｇの外周半径はカップ２より5ミリ程度小さく、カップ2との間に隙間を設けていると共に、水抜き孔を数ヶ所備え穴が施されている。旗竿1を差し込む可動部Ｂの底や、誘導部Ｃの底部や、カップ２の底にも水抜き穴17が配置されており、地中に排出される。
【００１８】
本発明のゴルフカップ２は一般に出回っている旗竿1、旗竿1の下端部Ａを使用することが可能なサイズであり、カップの外径も従来通りでこれも一般に出回っているホールカッターを使用して簡単に装着できる。
【００１９】
本発明のゴルフカップは手動式で簡単な構造なので、耐久性が良く、故障も起こりにくい。錆びにくい金属製であるが、各機能を有するならば樹脂製としても良い。本発明は安価に大量生産も可能である。                                                        
【符号の説明】
【００２０】
1  旗竿
Ａ  旗竿の下端部
Ｂ  可動部
Ｃ  誘導部
Ｄ  伝達部
Ｅ  駆動部
Ｆ  上昇部
Ｇ  底板部
Ｈ  弾性体
２  ゴルフカップ
３  伝達部Ｄの上下可動範囲を制限するガイドレール
４  水抜き穴
20  内ラック  
21  内ピニオン
22  歯車
23  歯車
24  歯車
25  小歯車
26  外ピニオン
27  外ラック
28  外ラックガイド
29  底板緊結物
30  カバーボックス
40  内ピストン
41  内油圧筒
42  繋ぎパイプ
43  外油圧筒
44  外ピストン
50  ゴルフカップのエッジ周り
51  ゴルフボール  
60  テコ
61  マジックハンド部
62  支点
【図１】
2020195413.tif 000003
【図２】
2020195413.tif 000004
【図３】
2020195413.tif 000005
【図４】
2020195413.tif 000006
【図５】
2020195413.tif 000007
【図６】
2020195413.tif 000008
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
ゴルフカップ２と,ゴルフの旗竿1の下端部Ａを、抜き差しすることができ、また差し込んだまま上下可動することができる可動部Ｂと、その可動部Ｂを上下垂直方向に誘導するため可動部Ｂを包むように配置され、カップの底に備えた誘導部Ｃと、誘導部Ｃの中で押し下げられた可動部Ｂを、元の位置に戻す力を有する可動部Ｂの底に備えた弾性体Ｈと、可動部Ｂに接続され下方向作用力を駆動部Ｅに伝達する伝達部Ｄと、その下方向作用力を上方向作用力に変える駆動部Ｅと、駆動部Ｅから力を受けて上昇する上昇部Ｆと、上昇部Ｆに接続して上昇する底板部Ｇを備えた構成で、ゴルフのグリーン上においてパッティングする際に、旗竿１を抜いてカップインさせることも可能であるとともに、旗竿1を刺しこんだままの状態でカップインさせた場合は、旗竿1を手で握って押し下げることで可動部Ｂが下方向に押下げられ、駆動部Ｅの作用で底板部Ｇが上昇し、カップインしたゴルフボール51を地上付近まで押し上げ底板部Ｇの傘状の傾斜によりゴルフボール51が地上に転がり排出され、その後旗竿１から手を離すと弾性体Ｈの反発力により、可動部Ｂが押し上げられて、旗竿１と底板部Ｇを元の位置に戻すことができる機能を有することを特徴とする、ゴルフボール放出装置付きゴルフカップ。
【請求項２】
前記、駆動部Ｅは伝達部Ｄに接続された内ラックと、内ラックと連動する内ピニオンと、内ピニオンの駆動により歯車を経て駆動する外ピニオンと、外ピニオンと連動する上昇部Ｆである外ラックを備えていることを特徴とする請求項1記載のゴルフボール放出装置付きゴルフカップ。
【請求項３】
前記、駆動部Ｅは伝達部Ｄに接続された内ピストンと、内ピストンが作用する内油圧筒と、内油圧筒と繋ぎパイプで接続された外油圧筒を有し、外油圧筒に作用する上昇部Ｆである外ピストンを備えていることを特徴とする請求項1記載のゴルフボール放出装置付きゴルフカップ。
【請求項４】
前記、駆動部Ｅは伝達部Ｄの作用で駆動するテコと、テコの駆動により上昇する上昇部Ｆであるマジックハンドを備えていることを特徴とする請求項1記載のゴルフボール放出装置付きゴルフカップ。
【請求項５】
前記、弾性体Ｈはスプリング、板バネ、またはゴム製品で構成されたことを特徴とする請求項1から請求項4のいずれか一項に記載のゴルフボール放出装置付きゴルフカップ。
【請求項６】
前記、底板部Ｇは平面的にドーナツ状で断面は傘状に傾斜しており、水抜き孔を数ヶ所備えていることを特徴とした、請求項1から請求項5のいずれか一項に記載のゴルフボール放出装置付きゴルフカップ。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
ゴルフカップ２と,ゴルフの旗竿1の下端部Ａを、抜き差しすることができ、また差し込んだまま上下可動することができる可動部Ｂと、その可動部Ｂを上下垂直方向に誘導する誘導部Ｃと、誘導部Ｃの中で押し下げられた可動部Ｂを、元の位置に戻す力を有する可動部Ｂの底に備えた弾性体Ｈと、可動部Ｂに接続され下方向作用力を駆動部Ｅに伝達する伝達部Ｄと、その下方向作用力を上方向作用力に変える駆動部Ｅと、駆動部Ｅから力を受けて上昇する上昇部Ｆと、上昇部Ｆに接続して上昇する底板部Ｇを備えた構成で、ゴルフのグリーン上においてパッティングする際に、旗竿１を抜いてカップインさせることも可能であるとともに、旗竿1を刺しこんだままの状態でカップインさせた場合は、旗竿1を手で握って押し下げることで可動部Ｂが下方向に押下げられ、駆動部Ｅの作用で底板部Ｇが上昇し、カップインしたゴルフボール51を地上付近まで押し上げ排出し、その後旗竿１から手を離すと弾性体Ｈの反発力により、可動部Ｂが押し上げられて、旗竿１と底板部Ｇを元の位置に戻すことができる機能を有することを特徴とする、ゴルフボール放出装置付きゴルフカップ。
【請求項２】
前記、駆動部Ｅは伝達部Ｄに接続された内ラックと、内ラックと連動する内ピニオンと、内ピニオンの駆動により歯車を経て駆動する外ピニオンと、外ピニオンと連動する上昇部Ｆである外ラックを備えていることを特徴とする請求項1記載のゴルフボール放出装置付きゴルフカップ。
【請求項３】
前記、駆動部Ｅは伝達部Ｄに接続された内ピストンと、内ピストンが作用する内油圧筒と、内油圧筒と繋ぎパイプで接続された外油圧筒を有し、外油圧筒に作用する上昇部Ｆである外ピストンを備えていることを特徴とする請求項1記載のゴルフボール放出装置付きゴルフカップ。
【請求項４】
前記、駆動部Ｅは伝達部Ｄの作用で駆動するテコと、テコの駆動により上昇する上昇部Ｆであるマジックハンドを備えていることを特徴とする請求項1記載のゴルフボール放出装置付きゴルフカップ。
【請求項５】
前記、弾性体Ｈはスプリング、板バネ、またはゴム製品で構成されたことを特徴とする請求項1から請求項4のいずれか一項に記載のゴルフボール放出装置付きゴルフカップ。
【請求項６】
前記、底板部Ｇは平面的にドーナツ状で断面は傘状に傾斜しており、水抜き孔を数ヶ所備えていることを特徴とした、請求項1から請求項5のいずれか一項に記載のゴルフボール放出装置付きゴルフカップ。